(57)【要約】【課題】低コストで高品質な流動化処理土を製造することができる流動化処理土の原料及び流動化処理土の製造方法を提供することである。【解決手段】少なくとも現場で発生する発生土を含む混合土を水分によって固化される固化材が固化しない程度まで脱水処理する脱水工程（Ａ）と、該脱水工程（Ａ）によって脱水処理された混合土と前記固化材を混合する混合工程（Ｂ）と、該混合工程（Ｂ）によって混合された混合土と固化材の混合物を現場まで運搬する運搬工程（Ｃ）と、該運搬工程（Ｃ）によって現場まで運搬された混合土と固化材の混合物に水を加えて攪拌する攪拌工程（Ｄ）と、を備えたことを特徴とする流動化処理土の製造方法である。【選択図】図１
2004263474.tif 000002
【特許請求の範囲】
【請求項１】
少なくとも現場で発生する発生土を含む混合土と、水分によって固化される固化材と、を備え、前記混合土は、固化材が固化しない程度まで脱水処理されていることを特徴とする流動化処理土の原料。
【請求項２】
前記混合土には、産業廃棄物がさらに含まれていることを特徴とする請求項１記載の流動化処理土の原料。
【請求項３】
前記脱水処理された混合土の含水率は、１５％以下であることを特徴とする請求項１又は２記載の流動化処理土の原料。
【請求項４】
少なくとも現場で発生する発生土を含む混合土を水分によって固化される固化材が固化しない程度まで脱水処理する脱水工程と、
該脱水工程によって脱水処理された混合土と前記固化材を混合する混合工程と、
該混合工程によって混合された混合土と固化材の混合物を現場まで運搬する運搬工程と、
該運搬工程によって現場まで運搬された混合土と固化材の混合物に水を加えて攪拌する攪拌工程と、
を備えたことを特徴とする流動化処理土の製造方法。
【請求項５】
前記脱水工程は、前記混合土の含水率が５％以下になるまで、混合土の脱水処理を行うことを特徴とする請求項４記載の流動化処理土の製造方法。
【請求項６】
前記混合土を細かく粉砕する粉砕工程をさらに備えたことを特徴とする請求項４又は５記載の流動化処理土の製造方法。
【請求項７】
前記粉砕工程は、前記混同工程と同時に行われることを特徴とする請求項６記載の流動化処理土の製造方法。
【発明の詳細な説明】
【０００１】
【発明の属する技術分野】
本発明は、建築又は土木工事などの現場の埋め戻しに使用する流動化処理土の原料、及び流動化処理土の製造方法に関する。
【０００２】
【従来の技術】
従来から、建築又は土木工事などの現場の掘削された場所の埋め戻し作業は、山砂などを掘削場所に埋めた後、転圧機などを用いて締め固めることにより、行われている（特許文献１）。しかし、締め固め作業などは煩雑であり、また締め固め作業が十分に行われなかった場合に路面の陥没等の事故が生じるなどの問題がある。さらに、山砂を利用するのは、自然破壊等の環境問題があり、好ましくない。
【０００３】
そこで、近年、建築又は土木工事などの現場で発生した発生土に水と固化材を混ぜることにより流動性が与えられた流動化処理土を作り、この流動化処理土を掘削場所に流し込むという流動化処理工法が利用されている。この流動化処理工法は、埋め戻し材が流動性を有するため、流し込むだけで掘削場所を密に埋めることができ、締め固め作業を行う必要がないので、作業が煩雑でない。
【０００４】
【特許文献１】
特開平６−２５７１０８号公報
【０００５】
【発明が解決しようとする課題】
しかしながら、流動化処理土の製造は、建築又は土木工事などの現場と異なる場所の常設プラントで行われているが、この場合、常設プラントで製造された流動化処理土は、体積が大きいため、建築又は土木工事などの現場まで運搬するのに必要なコストが大きくなり、また運搬時間が長くなると、流動性が低下するなど、コスト面と品質面で問題がある。また、流動化処理土を建築又は土木工事などの現場で製造することも可能であるが、常に適当な発生土があるとは限らず、また存在する発生土の性状も現場毎に異なるため、品質管理が難しく、さらに現場に発生土と製造設備を置くスペースを要するなどの問題がある。
【０００６】
そこで、本発明は、低コストで高品質な流動化処理土を製造することができる流動化処理土の原料及び流動化処理土の製造方法を提供することを目的とする。
【０００７】
【課題を解決するための手段】
以上の目的を達成するため、本発明は、少なくとも現場で発生する発生土を含む混合土と、水分によって固化される固化材と、を備え、前記混合土は、固化材が固化しない程度まで脱水処理されていることを特徴とする流動化処理土の原料である。
【０００８】
本発明に係る流動化処理土の原料は、固化材が固化しない程度まで脱水処理されているので、現場まで運搬の途中で固化することはなく、現場で適量の水を加えるだけで容易に流動化処理土を製造することができる。
【０００９】
本発明に係る流動化処理土の原料において、前記混合土には、産業廃棄物がさらに含まれていることが好ましく、産業廃棄物としては、鉄鋼スラグ、ゴミ溶触スラグ、石炭灰などがある。このように混合土に産業廃棄物を含めることにより、廃棄物の再資源化を行うことができる。また、本発明に係る流動化処理土の原料において、前記脱水処理された混合土の含水率は、３０％以下が好ましく、また１５％以下がより好ましく、さらに０〜５％であることが好ましい。
【００１０】
また、本発明は、少なくとも現場で発生する発生土を含む混合土を水分によって固化される固化材が固化しない程度まで脱水処理する脱水工程と、該脱水工程によって脱水された混合土と前記固化材を混合する混合工程と、該混合工程によって混合された混合土と固化材の混合物を現場まで運搬する運搬工程と、該運搬工程によって現場まで運搬された混合土と固化材の混合物に水を加えて攪拌する攪拌工程と、を備えたことを特徴とする流動化処理土の製造方法である。
【００１１】
以上のように本発明に係る流動化処理土の原料及び流動化処理土の製造方法によれば、現場で水が加えられるので、流動化処理土を運搬するのに比し運搬する際の体積を少なくすることができ、また現場では水を加えて攪拌されるだけなので特に現場で流動化処理土を製造する場合のように大きなスペースを必要とせず、コストダウンを図ることができる。さらに、流動化処理土の原料を製造する際に、品質の調整を行うことができ、また現場で水が加えられるので運搬が長時間にかかっても流動性が低下することはなく、高品質な流動化処理土を提供することができる。
【００１２】
本発明に係る流動化処理土の製造方法において、前記脱水工程は、前記混合土の含水率が、３０％以下、より好ましくは１５％以下、さらに好ましくは０〜５％になるまで、混合土の脱水処理を行っても良い。
【００１３】
また、本発明に係る流動化処理土は、前記混合土を細かく粉砕する粉砕工程をさらに備えていることが好ましく、この粉砕工程は、前記混合工程と同時に行っても良い。
【００１４】
本発明に係る流動化処理土の製造方法において、前記脱水工程は、遠心分離機等の脱水装置によって行っても良く、生石灰などの吸水材を加えることによって行っても良く、また自然乾燥や乾燥装置などによる強制乾燥で行っても良い。
【００１５】
【発明の実施の形態】
次に、本発明に係る流動化処理土の原料と流動化処理土の製造方法の実施例について図面に基づいて説明する。図１は、本実施例に係る流動化処理殿製造方法の概念図である。
【００１６】
先ず、粘性土１０と砂質土１２からなる発生土１４を混合容器１６に入れて混合し、次いで混合容器１６内に生石灰を入れることにより、生石灰に粘性土１０及び砂質土１２に含まれた水分を吸収させる。
【００１７】
次に、混合容器１６内で混合された混合土１４を乾燥室１８に入れて、後に加えられる固化材が固化しない程度、例えば含水率が５％以下になるまで水分を蒸発させる。乾燥室１８で水分を蒸発させた混合土１４は、混合装置２０において固化材サイロ２２から供給される固化材と混合装置２０の計量器２４によって計量された後、混合され流動化処理土の原料が製造される。なお、混合装置２０には、粉砕装置２３が設けられており、混合土１４は、粉砕装置２３によって細かく粉砕されながら固化材と混合される。
【００１８】
製造された流動化処理土は、袋２５に詰められ、トラック２６などの運搬装置によって現場まで運搬される。運搬された流動化処理土の原料は、現場で適量な水が加えられ、攪拌装置２８によって攪拌されることにより流動化処理土が製造される。
【００１９】
【発明の効果】
以上のように本発明に係る流動化処理土の原料及び流動化処理土の製造方法によれば、現場で水が加えられるので、流動化処理土を運搬するのに比し運搬する際の体積を少なくすることができ、また現場では水を加えて攪拌されるだけなので特に現場で流動化処理土を製造する場合のように大きなスペースを必要とせず、コストダウンを図ることができる。さらに、流動化処理土の原料を製造する際に、品質の調整を行うことができ、また現場で水が加えられるので運搬が長時間にかかっても流動性が低下することはなく、高品質な流動化処理土を提供することができる。
【図面の簡単な説明】
【図１】本発明に係る流動化処理土の製造方法の実施例の概念図である。
【符号の説明】
Ａ        脱水工程
Ｂ        混合工程
Ｃ        運搬工程
Ｄ        攪拌工程
【図１】
2004263474.tif 000003